(57)【要約】【課題】高周波回路のグラウンド強化が簡単かつ確実に行える高周波ユニットの提供。【解決手段】高周波回路が配設された回路基板１と、回路基板１を収納するシールド枠５と、シールド枠５の内部空間を仕切るシールド板６と、シールド枠５の下部開口および上部開口を蓋閉する下カバー７および上カバー８とを備え、回路基板１がシールド板６に接地されていると共に、シールド板６の脚部６ａが回路基板１を貫通している高周波ユニットにおいて、下カバー７の一部を切り起こして形成した短寸な第１の舌片７ｂと第２の舌片７ｃをそれぞれ対応する脚部６ａに当接させる。両舌片７ｂ，７ｃは形状および大きさが同等であり、第１の舌片７ｂは連結桟７ｄの一側縁を基端として回路基板１側へ斜めに延び、第２の舌片７ｃは連結桟７ｄの他側縁を基端として回路基板１側へ斜めに延びている。また、両舌片７ｂ，７ｃは基端側で連結桟７ｄを共有しているため一体的に揺動可能である。【選択図】図３
2010182928.tif 000002
【特許請求の範囲】
【請求項１】
高周波回路が配設された回路基板と、開口を有する枠状に形成されて前記回路基板を収納する板金製のシールド枠と、前記開口を蓋閉するように前記シールド枠に嵌着させた板金製のカバー体と、前記シールド枠の内部空間を仕切る板金製のシールド板とを備え、前記回路基板が前記シールド板に接地されていると共に、前記カバー体の一部を切り起こして前記シールド板に当接させている高周波ユニットであって、
前記カバー体が、連結桟と、この連結桟の一側縁を基端とする第１の舌片と、前記連結桟の他側縁を基端とする第２の舌片とを有し、これら第１および第２の舌片がそれぞれ前記回路基板側へ斜めに延びて前記シールド板に当接していると共に、これら第１および第２の舌片が一体的に揺動可能に形成されていることを特徴とする高周波ユニット。
【請求項２】
請求項１の記載において、前記カバー体が前記シールド枠の下部開口を蓋閉する下カバーであると共に、前記シールド板の隣接する２つの脚部が前記回路基板を貫通して前記第１の舌片と前記第２の舌片に個別に当接していることを特徴とする高周波ユニット。
【請求項３】
請求項１または２の記載において、前記第１の舌片と前記第２の舌片は形状および大きさが同等であることを特徴とする高周波ユニット。
【発明の詳細な説明】
【技術分野】
【０００１】
本発明は、シールド枠とカバー体とに覆われた回路基板がシールド板に接地されていると共に、カバー体の一部をシールド板に当接させてグラウンドを強化している高周波ユニットに関する。
【背景技術】
【０００２】
高周波回路を配設した回路基板が板金製のシールドケースに収納・保持されている高周波ユニットにおいて、従来の一般的なシールドケースは、矩形状等に組み立てられたシールド枠（枠体）と、シールド枠の内部空間を仕切るシールド板（仕切り板）と、シールド枠の上部開口と下部開口をそれぞれ蓋閉する上カバーと下カバーとによって構成されており、シールド枠とシールド板は１枚の金属板を折り曲げて形成されることが多い。回路基板はシールド枠やシールド板に保持されて端子群を下方へ突出させており、この回路基板にチューナ部やＩＦ部等の高周波回路が配設されていると共に、高周波回路の接地部がシールド板に半田付けされている。また、下カバーの所定個所を切り起こして形成された複数の弾性舌片がシールド板に弾接させてあり、こうすることによって高周波回路のグラウンドが強化されている（例えば、特許文献１参照）。
【０００３】
このように概略構成された従来の高周波ユニットは、回路基板に配設された高周波回路がシールドケースに覆われているため、電磁ノイズの飛び込みや飛び出しを軽減することができる。また、シールドケース内においてもノイズ源となる回路部の電磁ノイズをシールド板で遮って別の回路部へ漏れにくくしてあり、かつシールド板に下カバーの弾性舌片を弾接させて高周波回路のグラウンドを強化しているため、電磁ノイズの影響を受けにくい構造になっている。なお、かかる高周波ユニットは、シールドケースがマザーボード上に載置固定され、端子群がマザーボード側の外部回路と接続されるようになっている。
【先行技術文献】
【特許文献】
【０００４】
【特許文献１】特開平６−２７５９７９号公報
【発明の概要】
【発明が解決しようとする課題】
【０００５】
ところで、前述した高周波ユニットにおいて、回路基板の回路設計上の制約などの理由でノイズ源となる回路部どうし（例えばチューナ部とＩＦ部）を近接して配設しなければならないときには、両回路部間をシールド板で仕切ることはもちろん、両回路部のグラウンドを特別に強化しておく必要がある。このようなとき、細長い切り起こし片である弾性舌片をシールド板に弾接させても所要のグラウンド強化は図れないので、図４に示すように、従来の高周波ユニットでは、下カバー１２に絞り加工によって形成した一対の凸部１２ａをそれぞれシールド板１１の対応する脚部１１ａに当接させていた。なお、図４において、符号１０はシールド枠、１３は上カバー、１４は回路基板、１５は端子をそれぞれ示している。また、符号１２ｂは下カバー１２に形成された弾性舌片を示している。
【０００６】
しかしながら、弾性に乏しい凸部１２ａはシールド板１１の脚部１１ａの高さ位置のばらつきを吸収することができないため、隣接する２個所に形成された一方の凸部１２ａを対応する脚部１１ａに当接させても他方の凸部１２ａが対応する脚部１１ａと接触しない虞があり、その場合、高周波回路のグラウンド強化が不十分となるため性能劣化を余儀なくされる。
【０００７】
本発明は、このような従来技術の実情に鑑みてなされたものであり、その目的は、高周波回路のグラウンド強化が簡単かつ確実に行える高周波ユニットを提供することにある。
【課題を解決するための手段】
【０００８】
上記の目的を達成するために、本発明では、
高周波回路が配設された回路基板と、開口を有する枠状に形成されて前記回路基板を収納する板金製のシールド枠と、前記開口を蓋閉するように前記シールド枠に嵌着させた板金製のカバー体と、前記シールド枠の内部空間を仕切る板金製のシールド板とを備え、前記回路基板が前記シールド板に接地されていると共に、前記カバー体の一部を切り起こして前記シールド板に当接させている高周波ユニットにおいて、前記カバー体が、連結桟と、この連結桟の一側縁を基端とする第１の舌片と、前記連結桟の他側縁を基端とする第２の舌片とを有し、これら第１および第２の舌片がそれぞれ前記回路基板側へ斜めに延びて前記シールド板に当接していると共に、これら第１および第２の舌片が一体的に揺動可能に形成形成されているという構成にした。
【０００９】
このように構成された高周波ユニットは、基端側で連結桟を共有する第１および第２の舌片が一体的に揺動可能であり、シールド板や舌片自体の高さ位置のばらつきによって一方の舌片が該シールド板に押し込まれると、連結桟を中心とするシーソー動作が行われて他方の舌片が逆向きに押し込まれるようになっているため、両舌片をシールド板に確実に当接させることができる。また、これら第１および第２の舌片は弾性片として形成する必要はないので長さ寸法を短く設定でき、カバー体の一部を切り起こして第１および第２の舌片を形成することも容易である。したがって、カバー体に形成した短寸な第１および第２の舌片によって高周波回路の所望の回路部のグラウンド強化が確実かつ効果的に行えるようになる。
【００１０】
上記の構成において、カバー体がシールド枠の下部開口を蓋閉する下カバーであると共に、シールド板の隣接する２つの脚部が回路基板を貫通して第１の舌片と第２の舌片に個別に当接していると、シールド枠の上部開口を蓋閉する上カバーに切欠きや孔を形成する必要がなくなると共に、高周波回路の隣接する２つの回路部のグラウンド強化が確実かつ効果的に行えるため好ましい。
【００１１】
また、上記の構成において、第１の舌片と第２の舌片は形状および大きさが同等であることが好ましく、こうすることによって両舌片を一体的に揺動させやすくなる。
【発明の効果】
【００１２】
本発明の高周波ユニットは、シールド板や舌片自体の高さ位置のばらつきによって一方の舌片が該シールド板に押し込まれると、連結桟を中心とするシーソー動作が行われて他方の舌片が逆向きに押し込まれるようになっているため、第１および第２の舌片をシールド板に確実に当接させることができ、かつ、両舌片は弾性片として形成する必要がないので長さ寸法を短く設定できる。それゆえ、板金製のカバー体に形成した短寸な第１および第２の舌片により、高周波回路のグラウンド強化が簡単、確実かつ効果的に行えるという優れた効果を奏する。
【図面の簡単な説明】
【００１３】
【図１】本発明の実施形態例に係る高周波ユニットの外観図でシールド枠や下カバー等を示す斜視図である。
【図２】図１の要部で第１および第２の舌片を示す拡大図である。
【図３】該高周波ユニットの断面図である。
【図４】従来例に係る高周波ユニットの断面図である。
【発明を実施するための形態】
【００１４】
以下、発明の実施の形態を図１〜図３を参照して説明する。これらの図に示す高周波ユニットは、チューナ部やＩＦ部等の高周波回路（図示せず）が配設された回路基板１と、回路基板１を収納・保持しているシールドケース２と、回路基板１から導出されて外方へ突出する端子３群と、シールドケース２に固定されて外方へ突出するＲＦコネクタ４とによって主に構成されている。この高周波ユニットは、シールドケース２をマザーボード９（図３参照）上に載置固定して端子３群を外部回路と接続させることによって、マザーボード９上に実装されるようになっている。また、回路基板１に配設された高周波回路がシールドケース２に覆われているため、電磁ノイズの飛び込みや飛び出しが軽減されるようになっている。
【００１５】
シールドケース２は、回路基板１を収納する矩形状に組み立てられた板金製のシールド枠（枠体）５と、このシールド枠５の内部空間を仕切る板金製のシールド板（仕切り板）６と、シールド枠５の下部開口を蓋閉する板金製の下カバー７と、シールド枠５の上部開口を蓋閉する板金製の上カバー８とによって構成されている。シールド枠５とシールド板６は１枚の金属板を折り曲げて形成されており、シールド枠５の下端部にはマザーボード９に固定される複数の取付脚５ａが突設されている。また、シールド板６の下端部には回路基板１を貫通して下カバー７と対向する複数の脚部６ａが突設されており、これら脚部６ａが前記高周波回路の接地部に半田付けされていると共に、一部の脚部６ａに後述する下カバー７の舌片７ａ〜７ｃが当接させてある（図３参照）。この下カバー７と上カバー８は、いずれも周縁部分の弾性を利用してシールド枠５に嵌着させてある。
【００１６】
回路基板１はシールド枠５やシールド板６に保持されており、前記高周波回路にＲＦコネクタ４を介してアンテナ信号が供給されるようになっている。この高周波回路を構成している複数の回路部は、シールド枠５の内部空間でシールド板６によって仕切られているため、異なる回路部どうしの間で電磁ノイズの干渉が起こりにくくなっている。また、この高周波回路の接地部はシールド枠５やシールド板６に導通されている。
【００１７】
下カバー７には、複数個所を切り起こすことによって弾性舌片７ａと短寸な第１および第２の舌片７ｂ，７ｃとが形成されている。これら舌片７ａ〜７ｃは、それぞれシールド板６の相異なる脚部６ａに当接しており、これによって前記高周波回路のグラウンドを強化している。このうち第１および第２の舌片７ｂ，７ｃは、ノイズ源となる２つの回路部のグラウンドを特別に強化するために形成したものであり、図３に示すように、シールド板６の隣接する２つの脚部６ａに第１の舌片７ｂと第２の舌片７ｃを個別に当接させている。図１と図２に示すように、第１の舌片７ｂは下カバー７に形成した連結桟７ｄの一側縁を基端として回路基板１側へ斜めに延びる三角形状の舌片であり、第２の舌片７ｃは連結桟７ｄの他側縁を基端として回路基板１側へ斜めに延びる三角形状の舌片である。これら第１および第２の舌片７ｂ，７ｃは形状および大きさが同等である。また、両舌片７ｂ，７ｃは基端側で連結桟７ｄを共有しているため一体的に揺動可能である。
【００１８】
このように本実施形態例に係る高周波ユニットの下カバー７には、基端側で連結桟７ｄを共有して一体的に揺動可能な第１および第２の舌片７ｂ，７ｃが形成してあり、シールド板６の各脚部６ａの高さ位置や舌片７ｂ，７ｃ自体の高さ位置のばらつきによって、一方の舌片７ｂ（または７ｃ）が対応する脚部６ａに押し込まれると、連結桟７ｄを中心とするシーソー動作が行われて他方の舌片７ｃ（または７ｂ）が逆向きに押し込まれるようになっているため、両舌片７ｂ，７ｃをそれぞれ対応する脚部６ａに確実に当接させることができる。また、これら第１および第２の舌片７ｂ，７ｃは、弾性片として形成する必要がないため長さ寸法を短く設定できる。それゆえ、これら第１および第２の舌片７ｂ，７ｃによって高周波回路の所望の回路部のグラウンド強化を確実かつ効果的に行うことができる。なお、下カバー７の一部を切り起こして弾性舌片７ａや第１および第２の舌片７ｂ，７ｃを形成することは容易である。また、これら各舌片７ａ〜７ｃは下カバー７に形成されており、同様の舌片を上カバー８に形成する必要はないので、シールド性能に悪影響を及ぼす虞はない。
【００１９】
なお、第１の舌片７ｂと第２の舌片７ｃは形状や大きさが相異なるものであってもよいが、本実施形態例のように、両舌片７ｂ，７ｃの形状および大きさが同等であると、両舌片７ｂ，７ｃを一体的に揺動させやすくなるため好ましい。
【符号の説明】
【００２０】
１  回路基板
２  シールドケース
３  端子
４  ＲＦコネクタ
５  シールド枠（枠体）
６  シールド板（仕切り板）
６ａ  脚部
７  下カバー
７ａ  弾性舌片
７ｂ  第１の舌片
７ｃ  第２の舌片
７ｄ  連結桟
８  上カバー
９  マザーボード
【図１】
2010182928.tif 000003
【図２】
2010182928.tif 000004
【図３】
2010182928.tif 000005
【図４】
2010182928.tif 000006